(57)【特許請求の範囲】
【請求項１】
扉面に取り付けられ開扉方向と同方向に操作される操作バーの操作力を、錠ボルトを作動させる駆動力として錠ケースに入力するプッシュプル錠であって、
前記扉面に固定される台座取付板を介して扉に取り付けられる台座と、
該台座に鉛直方向の揺動中心軸を介して揺動自在に支持され前記操作バーの操作により揺動されるグリップアームと、
前記台座に前記扉面と平行な横方向のレバー軸を介して揺動自在に支持され該グリップアームの揺動に従動して揺動するスライドレバーと、
前記台座取付板に上下方向にスライド自在に支持され該スライドレバーの揺動出力端に当接して押下されるスライドカムと、
前記台座取付板に前記扉面と垂直な方向の駆動ギア軸を介して回動自在に支持され入力端に該スライドカムに摺接する駆動軸を有するとともに出力端に駆動ギアを有し該スライドカムの下降に従動して回転する駆動ギア板と、
前記台座取付板に回動自在に支持され入力端がギア手段を介して該駆動ギア板の前記駆動ギアに噛合するとともに出力端が前記錠ケースの回転入力部材に連結される出力軸と、
を具備したことを特徴とするプッシュプル錠。
【請求項２】
前記ギア手段が、
前記台座取付板に前記扉面と垂直なアイドラ軸を介して回動自在に支持され前記駆動ギア板の前記駆動ギアに噛合するアイドラギアと、
前記出力軸の入力端に固定され該アイドラギアに噛合するコアギアと、
を具備し、
前記駆動ギア板のピッチ円半径が、前記駆動ギア軸と前記駆動軸の軸間距離よりも大きいことを特徴とする請求項１記載のプッシュプル錠。
【請求項３】
前記出力軸の入力端と出力端の間にユニバーサルジョイントが介装されることを特徴とする請求項１又は２記載のプッシュプル錠。
【請求項４】
一方の扉面側に開扉される扉の厚み方向中央部に前記錠ケースが内設され、
独立回動する前記回転入力部材が該錠ケースの前記扉面に平行な両側面のそれぞれに設けられ、
一方の扉面には前記揺動中心軸回りで該扉面に離反方向に揺動操作される第１の前記操作バーが設けられ、
他方の扉面には前記揺動中心軸回りで該扉面に接近方向に揺動操作される第２の前記操作バーが設けられ、
前記第１の操作バーと前記錠ケースの間、及び前記第２の操作バーと前記錠ケースの間のそれぞれには、前記台座取付板、前記台座、前記グリップアーム、前記スライドレバー、前記スライドカム、前記駆動ギア板、前記ギア手段及び前記出力軸が配設され、
且つ前記錠ケースを挟んで配置された一対の前記駆動ギア板が扉両面のそれぞれにおいて逆回転されることを特徴とする請求項１又は２記載のプッシュプル錠。
【発明の詳細な説明】
【技術分野】
【０００１】
本発明は、扉面に取り付けられ開扉方向と同方向に操作される操作バーの操作力を、錠ボルトを作動させる駆動力として錠ケースに入力するプッシュプル錠に関し、更に詳しくは、開扉方向と同方向の操作力を回転力に変換して錠ケースに出力する改良技術に関する。
【背景技術】
【０００２】
住宅玄関扉等には、上下方向長尺に形成された操作バーの上下端を、台座を介して可動自在に扉面に取り付けた所謂プッシュプル錠の採用されることがある。このプッシュプル錠は、例えば外開きの玄関扉に取り付けられる場合、室内側に取り付けられる操作バーは、扉を開放する際、台座に対し押し込み方向に僅かに可動することで、扉に内蔵された錠ケースの錠ボルト（例えばラッチボルト）を錠ケース内へ後退させ、扉を開放可能にする。一方、屋外側に取り付けられる操作バーは、扉を開放する際、台座に対し引っ張り方向に僅かに可動することで、扉に内蔵された錠ケースのラッチボルトを錠ケース内へ後退させ、扉を開放可能にする。これにより、扉表裏において、開扉方向と、ラッチボルト後退操作方向を一致させ、扉の良好な開放操作性を実現している。
【０００３】
プッシュプル錠は、ラッチボルトを内蔵する錠ケースと、操作バーを備えて組み立てられた台座とが、それぞれ別途に扉に取付け固定される。従来、操作バーに入力される開扉操作力は、台座の背面に設けられた揺動レバー片にて、例えば左右方向や上下方向の揺動端出力として錠ケースへ入力されていた。したがって、錠ケース側には、揺動レバー片の揺動端と係合する揺動入力部材が設けられ、この揺動入力部材が左右動或いは上下動されることで、ラッチボルトが錠ケース内へ後退動作可能となった。
【発明の開示】
【発明が解決しようとする課題】
【０００４】
プッシュプル錠は、操作方向が開扉方向と一致することから、良好な開放操作性が得られるとともに、レバーハンドル等の操作部材に比べ、大型であることからデザイン性にも優れる。このため、プッシュプル錠は、近年、需要が益々増大する傾向にある。
しかしながら、従来、操作バーに入力される開扉操作力は、台座の背面に設けられた揺動レバー片にて、上下方向の揺動出力として錠ケースへ入力されていたため、錠ケースも、揺動レバー片の揺動端と係合する揺動入力部材が設けられるタイプであった。したがって、既設のレバーハンドル錠等をプッシュプル錠に交換する場合には、レバーハンドル等の操作部材は元より、使用可能な錠ケースまでも交換しなければならなかった。このため、回転入力部材を有する既設の錠ケースを利用して、組み付けることが可能となるプッシュプル錠の開発要請があった。
【０００５】
本発明は上記状況に鑑みてなされたもので、操作バーの開扉方向と同方向の操作力を回転力に変換できるプッシュプル錠を提供し、もって、回転入力部材を有する既設の錠ケースに対するプッシュプル錠の組み付けを可能とすることを目的とする。
【課題を解決するための手段】
【０００６】
次に、上記の課題を解決するための手段を、実施の形態に対応する図面を参照して説明する。
本発明の請求項１記載のプッシュプル錠は、扉面１１ａ，１１ｂに取り付けられ開扉方向ａと同方向に操作される操作バー２１，２３の操作力を、錠ボルト２５を作動させる駆動力として錠ケース１９に入力するプッシュプル錠１００であって、
前記扉面１１ａ，１１ｂに固定される台座取付板３１を介して扉１１に取り付けられる台座３３と、
該台座３３に鉛直方向の揺動中心軸３５を介して揺動自在に支持され前記操作バー２１，２３の操作により揺動されるグリップアーム３７と、
前記台座３３に前記扉面１１ａ，１１ｂと平行な横方向のレバー軸３９を介して揺動自在に支持され該グリップアーム３７の揺動に従動して揺動するスライドレバー４１と、
前記台座取付板３１に上下方向にスライド自在に支持され該スライドレバー４１の揺動出力端４３に当接して押下されるスライドカム４５と、
前記台座取付板３１に前記扉面１１ａ，１１ｂと垂直な方向の駆動ギア軸４７を介して回動自在に支持され入力端４９に該スライドカム４５に摺接する駆動軸５１を有するとともに出力端５３に駆動ギア５５を有し該スライドカム４５の下降に従動して回転する駆動ギア板５７と、
前記台座取付板３１に回動自在に支持され入力端５９がギア手段６１を介して該駆動ギア板５７の前記駆動ギア５５に噛合するとともに出力端６３が前記錠ケース１９の回転入力部材６５に連結される出力軸６７と、
を具備したことを特徴とする。
【０００７】
このプッシュプル錠１００では、操作バー２１，２３による開扉方向ａの操作力が、グリップアーム３７、スライドレバー４１にて一旦上下動に変換された後、さらに、スライドカム４５、駆動ギア板５７、出力軸６７にて回転力に変換される。これにより、回転入力部材６５を有する既設の錠ケース１９に対して、開扉方向ａと同方向で操作バー２１，２３の操作されるプッシュプル錠１００が、出力軸６７を介して組み付け可能となる。
【０００８】
請求項２記載のプッシュプル錠は、前記ギア手段６１が、
前記台座取付板３１に前記扉面１１ａ，１１ｂと垂直なアイドラ軸６９を介して回動自在に支持され前記駆動ギア板５７の前記駆動ギア５５に噛合するアイドラギア７１と、
前記出力軸６７の入力端５９に固定され該アイドラギア７１に噛合するコアギア７３と、
を具備し、
前記駆動ギア板５７のピッチ円半径Ｒが、前記駆動ギア軸４７と前記駆動軸５１の軸間距離Ｆよりも大きいことを特徴とする。
【０００９】
このプッシュプル錠１００では、駆動ギア軸４７を中心とした駆動軸５１までの距離Ｆと、ピッチ円半径Ｒの距離が異なる長さに設定され、力点から支点までの距離よりも、支点から作用点までの距離が長くなり、スライドカム４５の小さい押下距離によって、駆動ギア板５７の駆動ギア５５が大きく回転される。
【００１０】
請求項３記載のプッシュプル錠は、前記出力軸６７の入力端５９と出力端６３の間にユニバーサルジョイント７５が介装されることを特徴とする。
【００１１】
このプッシュプル錠では、既設の錠ケース１９に対してプッシュプル錠１００が後付けされ、その際に、錠ケース１９の回転入力部材６５と、プッシュプル錠１００の出力軸６７にズレ（偏芯）が生じていても、この偏芯がユニバーサルジョイント７５によって吸収され、回転入力部材６５と出力軸６７が連結可能となる。
【００１２】
請求項４記載のプッシュプル錠は、一方の扉面１１ａ側に開扉される扉１１の厚み方向中央部に前記錠ケース１９が内設され、
独立回動する前記回転入力部材６５，６５が該錠ケース１９の前記扉面に平行な両側面８１ａ，８１ｂのそれぞれに設けられ、
一方の扉面１１ａには前記揺動中心軸回りで該扉面１１ａに離反方向Ｌに揺動操作される第１の前記操作バー２１が設けられ、
他方の扉面１１ｂには前記揺動中心軸回りで該扉面１１ｂに接近方向に揺動操作される第２の前記操作バー２３が設けられ、
前記第１の操作バー２１と前記錠ケース１９の間、及び前記第２の操作バー２３と前記錠ケース１９の間のそれぞれには、前記台座取付板３１、前記台座３３、前記グリップアーム３７、前記スライドレバー４１、前記スライドカム４５、前記駆動ギア板５７、前記ギア手段６１及び前記出力軸６７が配設され、
且つ前記錠ケース１９を挟んで配置された一対の前記駆動ギア板５７，５７が扉両面１１ａ，１１ｂのそれぞれにおいて逆回転されることを特徴とする。
【００１３】
このプッシュプル錠では、扉両面１１ａ，１１ｂに設けられ開扉方向ａと同方向に操作（開扉側では引っ張り操作、その反対側では押し操作）されるそれぞれの操作バー２１，２３からの操作力が、表裏の駆動ギア板５７，５７の逆回転により、表裏１１ａ，１１ｂの出力軸６７，６７へ逆回転で伝達される。つまり、それぞれの扉面１１ａ，１１ｂ側から見た場合、一方の扉面１１ａ側の回転入力部材６５が例えば時計回りに回転されると、他方の扉面１１ｂ側の回転入力部材６５が反時計回りに回転される。これにより、錠ケース両側に表出する回転入力部材６５，６５が同一軸線回りの同一方向に回転可能となる。
【発明の効果】
【００１４】
本発明に係る請求項１記載のプッシュプル錠によれば、操作バーにより揺動されるグリップアームと、グリップアームに従動するスライドレバーと、スライドレバーに押下されるスライドカムと、スライドカムの下降に従動して回転する駆動ギア板と、駆動ギア板に噛合するとともに錠ケースの回転入力部材に連結される出力軸とを設けたので、操作バーによる開扉方向の操作力を、グリップアーム、スライドレバーにて一旦上下動に変換した後、さらに、スライドカム、駆動ギア板、出力軸にて回転力に変換することができる。したがって、回転入力部材を有する既設の錠ケースに、プッシュプル錠の出力軸を組み付けることが可能となる。この結果、既設の錠ケースを流用して、意匠性、操作性に優れたプッシュプル錠を安価に取り付けできる。
【００１５】
請求項２記載のプッシュプル錠によれば、ギア手段が、台座取付板に回動自在に支持され駆動ギアに噛合するアイドラギアと、出力軸に固定されアイドラギアに噛合するコアギアとを具備し、駆動ギア板のピッチ円半径が、駆動ギア軸と駆動軸の軸間距離よりも大きいので、駆動ギア軸を中心とした駆動軸までの距離と、ピッチ円半径の距離を変えることで、力点から支点までの距離よりも、支点から作用点までの距離を長くし、スライドカムの小さい押下距離によって、駆動ギア板の出力端に設けた駆動ギアを大きく回転させることができる。この結果、操作バーの小さな操作距離で、大きな出力回転角度を錠ケースへ入力することができる。
【００１６】
請求項３記載のプッシュプル錠によれば、出力軸の入力端と出力端の間にユニバーサルジョイントが介装されるので、既設の錠ケースに対してプッシュプル錠を後付けする際の、回転入力部材と出力軸の偏芯を吸収することができる。
【００１７】
請求項４記載のプッシュプル錠によれば、開扉側の扉面には離反方向に移動操作される第１の操作バーが設けられ、その反対面には接近方向に移動操作される第２の操作バーが設けられ、錠ケースを挟んで配置された一対の駆動ギア板が扉両面のそれぞれにおいて逆回転されるので、扉両面に設けられ開扉方向と同方向に操作されるそれぞれの操作バーからの操作力で、錠ケースの回転入力部材を同一方向に回転させることができる。つまり、扉表裏で異なる方向の操作力を同一方向の回転力として錠ケースに入力することができる。この結果、回転入力部材以下の錠ボルトを進退作動させるための錠ケース内進退機構を単一機構で構成することができる。
【発明を実施するための最良の形態】
【００１８】
以下、本発明に係るプッシュプル錠の好適な実施の形態を図面を参照して詳細に説明する。
図１は本発明に係るプッシュプル錠を備えた扉の斜視図である。
プッシュプル錠１００の設けられる扉１１は、矢印ａ方向へ開扉可能に不図示のヒンジにて支持される。本実施の形態の扉１１は、枠体１３にガラス１５を嵌めたガラス扉として構成される。プッシュプル錠１００は、枠体１３の開閉端側の縦框１７に取り付けられる。したがって、扉１１が外開きの玄関扉の場合には、開扉側が表面（屋外面）１１ａ、その反対側が裏面（室内面）１１ｂとなる。
【００１９】
一方の扉面（表面１１ａ）側に開扉される扉１１の厚み方向中央部には錠ケース１９が内設される。表面１１ａには、この表面１１ａに離反方向Ｌ（図２参照）に揺動操作される第１の操作バー（屋外操作バー）２１が設けられる。また、他方の扉面（裏面１１ｂ）には、この裏面１１ｂに接近方向Ｎ（図２参照）に揺動操作される第２の操作バー（室内操作バー）２３が設けられる。プッシュプル錠１００は、開扉方向ａと同方向に操作される屋外操作バー２１、室内操作バー２３の操作力を、錠ボルト２５を作動させる回転駆動力として錠ケース１９に入力するため、以下の構成を備える。
【００２０】
図２は図１に示したプッシュプル錠の縦断面図、図３は開扉側プッシュプル錠の平断面図、図４は錠ケースと錠ケース側ユニットの取付構造の分解斜視図、図５は錠ケース側ユニットの分解斜視図、図６は操作バー側ユニットの分解斜視図である。
後述するように、プッシュプル錠１００は、扉１１の表裏１１ａ，１１ｂに、同一部材を用いて扉１１を挟み略対称（後述するスライドレバー、スライドバーを除く）に構成される。したがって、以下の説明では、屋外操作バー２１側（プル側）の構成を代表例として説明する。
【００２１】
図２，図３，図４，図５，図６において、２７は錠ケース側ユニット、２９は操作バー側ユニット、３１は台座取付板、３３は台座、３５は揺動中心軸、３７はグリップアーム、３９はレバー軸、４１はスライドレバー、４３はスライドレバーの揺動出力端、４５はスライドカム、４７は駆動ギア軸、４９は駆動ギア板の入力端、５１は駆動軸、５３は駆動ギア板の出力端、５５は駆動ギア、５７は駆動ギア板、５９は出力軸の入力端、６１はギア手段、６３は出力軸の出力端、６５は回転入力部材、６７は出力軸である。
【００２２】
また、６９はアイドラ軸、７１はアイドラギア、７３はコアギア、７５はユニバーサルジョイント、Ｒは駆動ギア板のピッチ円７７の半径、Ｆは駆動ギア軸と駆動軸の軸間距離、８１ａ，８１ｂは錠ケースの両側面、８３はコネクタ、８５はグリップアーム受け、８７はレバー取付板、８９は復帰バネ、９１はスライドバー、９３はコネクタ固定用ネジ孔、９５はコネクタ位置決め突起、９７はスタッドナット１０１（図２１参照）の貫通穴、９９は回転入力部材露出窓、１０３は位置決めピン、１０５はコネクタ固定ネジ、１０７は収容穴、１０９はフロント裏板、１１１はリリーサ、１１３はフロント板、１１５はボルト突出口、１１７はガイドピン、１１９は台座固定ネジ、１２１は台座取付板固定ネジ、１２３はＥリング、１２５はギア押え板、１２７はギア押え板固定ネジ、１２９はアームユニット押え板、１３１はアームユニット押え板固定ネジ、１３３はグリップアーム受け固定ネジ、１３５はカラー、１３７はバー連結軸、１３９はレバー係合軸、１４１はアーム、１４３はアーム固定ネジ、１４５は受け板、１４７はアーム固定ネジ、１４９はキャップ、１５１はＯリング、１５３はキャップ固定ネジ１５３である。
【００２３】
錠ケース１９は、図４に示すように、扉１１の木口１５５に形成された収容穴１０７に挿入され、フロント裏板１０９が不図示のネジにて木口１５５に固定される。錠ケース１９は、独立回動する回転入力部材６５，６５が、錠ケース１９の両側面８１ａ，８１ｂにそれぞれ配設されている。また、フロント裏板１０９にはリリーサ１１１が表出され、リリーサ１１１はフロント裏板１０９の表面に取り付けられるフロント板１１３にて覆われる。リリーサ１１１は、例えば相手部材（相手側ガラス扉又は開口枠等）に設けられたマグネット、或いは電磁石からの斥力を受けることで作動し、錠ボルト２５の突出規制を解除する。ガラス扉に設けられる錠装置は、衝接時の反力を発生させないため、相手部材との衝接による反力を利用しない錠ボルト（角ボルト）２５として形成されている。錠ボルト２５は、閉扉状態でのみ突出し、開扉状態では突出が規制されて後退保持（収納）されている。リリーサ１１１は、閉扉時におけるこの突出規制を解除する。なお、本発明に係るプッシュプル錠１００は、通常の衝接傾斜面を有するラッチボルト機構においても適用できるものである。
【００２４】
図７はコネクタの斜視図、図８は台座取付板の斜視図である。
台座３３は、台座取付板３１に固定される。台座取付板３１は、コネクタ８３を介して錠ケース１９と位置決めされ、扉両側面８１ａ，８１ｂに固定される。コネクタ８３は円柱形状に形成され、図３に示すように、錠ケース１９と台座取付板３１との間に配設される。コネクタ８３は、不図示の固定穴に挿通したコネクタ固定ネジ１０５を両側面８１ａ，８１ｂのコネクタ固定用ネジ孔９３に螺合して錠ケース１９に固定される。コネクタ８３には位置決めピン１０３の嵌入する嵌入孔１５７，１５７が穿設され、嵌入孔１５７，１５７から突出した位置決めピン１０３は、台座取付板３１の位置決め穴１５９に嵌入される。なお、図７中、１６１は出力軸６７の挿通穴、図８中、１６３は台座固定ネジ１１９の螺合するネジ孔、１６５はスライドカム４５の突起１７４（図１９参照）をガイドするスリット穴、１６７は台座取付板固定用穴、１６９は駆動ギア軸４７の支持穴、１７１は出力軸６７の挿通穴である。
【００２５】
図９は出力軸及びコアギアの分解斜視図、図１０はアイドラギア及びアイドラ軸の分解斜視図である。
出力軸６７は、台座取付板３１に回動自在に支持され、入力端５９にはコアギア７３が相対回転不能に固定される。コアギア７３はアイドラギア７１に噛合する。出力端６３は、錠ケース１９の回転入力部材６５に相対回転不能に嵌入する角軸で形成される。なお、アイドラギア７１の厚みＴは、コアギア７３の厚みｔの略２倍で形成されている。すなわち、アイドラギア７１には、コアギア７３と駆動ギア板５７の駆動ギア５５が共に噛合されるようになっている。
【００２６】
図１１はユニバーサルジョイントを介装した出力軸の斜視図である。
出力軸６７は、入力端５９と出力端６３の間にユニバーサルジョイント７５が介装される構造としてもよい。このような構造とすれば、既設の錠ケース１９に対してプッシュプル錠１００が後付けされ、その際に、錠ケース１９の回転入力部材６５と、プッシュプル錠１００の出力軸６７にズレ（偏芯）が生じていても、この偏芯がユニバーサルジョイント７５によって吸収され、回転入力部材６５と出力軸６７が連動連結可能となる。
【００２７】
図１２は台座及びアームユニット押え板の分解斜視図である。
アームユニット押え板１２９には固定穴１７３が穿設され、固定穴１７３に挿通されたアームユニット押え板固定ネジ１３１にて台座３３に固定される。図１２中、１７５は復帰バネ８９の受け孔、１７７は固定用ネジ逃げ孔、１７９は台座固定ネジ１１９の挿通孔、１８１はグリップアーム３７の表出開口である。またアームユニット押え板１２９の側縁には、後述するスライドレバー４１の揺動出力端４３が台座３３の後方に延出するための切欠１７２が形成されている。
【００２８】
図１３はグリップアーム受けの斜視図である。
グリップアーム受け８５は、樹脂成形により成形され、内部にスライドレバー４１、グリップアーム３７の収容空間１８３を有した枠形状となる。グリップアーム受け８５の上下面には揺動中心軸３５を支持する支持穴１８５が穿設される。上面には押し操作側スライドバー９１のスライド溝１８７が形成される。また、収容空間１８３の底面には引き操作側スライドバー９１のスライド溝１８９が形成されている。つまり、グリップアーム受け８５は、引き操作側と押し操作側とに共用可能となっている。
【００２９】
図１４はレバー取付板の斜視図である。
グリップアーム受け８５は、板金材からなる枠状のレバー取付板８７にて外側が覆われる。レバー取付板８７にはレバー係合軸１３９（図１８参照）のガイド穴１９１が穿設される。グリップアーム受け８５の上下面にはグリップアーム受け８５の支持穴１８５と同芯位置となる揺動中心軸３５を支持する支持穴１９３が穿設される。また、スライドレバー４１の揺動出力端４３が貫通配置される貫通穴１９２が設けられる。この貫通穴１９２は、アームユニット押え板１２９の切欠１７２の位置に対応する。
【００３０】
図１５はスライドレバーの斜視図である。
スライドレバー４１は、扉面１１ａと平行な横方向のレバー軸３９を介して揺動自在に支持され、グリップアーム３７の揺動に従動して揺動する。スライドレバー４１は、板金材によりＬ形状に形成され、中央部にレバー軸３９の貫通穴１９５が穿設される。貫通穴１９５を挟み揺動出力端の反対側の揺動入力端１９７にはレバー係合軸１３９の係合する凹部１９９が形成される。
【００３１】
図１６はグリップアームの斜視図である。
グリップアーム３７は、グリップアーム受け８５に鉛直方向の揺動中心軸３５を介して揺動自在に支持され、屋外操作バー２１の操作により揺動される。グリップアーム３７は、側板部２０１に上下板部２０３，２０５が連設されたコ字形状に形成され、上下面に揺動中心軸３５を支持する支持穴２０７が穿設される。側板部２０１にはアーム１４１との係合突起２０９が突設され、係合突起２０９はアーム固定ネジ１４７の螺合するネジ孔２１１を有する。また、上下板部２０３，２０５にはバー連結軸１３７の挿入される支持穴２１３が穿設されている。
【００３２】
図１７は揺動中心軸及び復帰バネの分解斜視図である。
揺動中心軸３５にはカラー１３５が外挿される。カラー１３５には復帰バネ８９が外挿され、復帰バネ８９は一端８９ａが受け孔１７５に係止し、他端８９ｂがバー連結軸１３７に係合される。これにより、グリップアーム３７は、揺動中心軸３５を中心に、図３の反時計回りに付勢される。
【００３３】
図１８はスライドバーの斜視図である。
グリップアーム３７に挿通されたバー連結軸１３７は、スライドバー９１を上下に貫通する。このスライドバー９１は、スライド溝１８９内で扉面１１ａに垂直な方向にスライドする。すなわち、屋外操作バー２１が図２のＬ方向に引き操作されると、アーム１４１を介してグリップアーム３７が揺動中心軸３５を中心に揺動され、バー連結軸１３７がスライドバー９１を図３の右方へスライドさせる。スライドバー９１がスライドすると、スライドバー９１から突出するレバー係合軸１３９がスライドレバー４１をレバー軸３９を中心に図２の反時計回りに揺動する。これにより、スライドレバー４１の揺動出力端４３がスライドカム４５を押下することとなる。
【００３４】
図１９はスライドカムの分解斜視図である。
スライドカム４５は、台座取付板３１に上下方向にスライド自在に支持され、スライドレバー４１の揺動出力端４３に当接して押下される。スライドカム４５の下部中央に駆動ギア軸４７との干渉を避けるための切欠２１５が形成される。スライドカム４５は、切欠２１５の両側に形成された上下方向の長穴２１７，２１７に、台座取付板３１から突出するガイドピン１１７，１１７を係合して上下方向にスライド自在に支持される。図１９中、２１９は駆動軸５１の摺接面を示す。
【００３５】
図２０は駆動ギア板の分解斜視図である。
駆動ギア板５７は、台座取付板３１に扉面１１ａと垂直な方向の駆動ギア軸４７を介して回動自在に支持され、入力端にスライドカム４５に摺接する駆動軸５１を有するとともに、出力端に駆動ギア５５を有し、スライドカムの下降に従動して回転する。駆動ギア板５７は、駆動軸５１をスライドカム４５の摺接面２１９に摺接する。つまり、摺接面２１９の押下によって回転される。駆動ギア板５７はこの回転によって、駆動ギア５５と噛合するアイドラギア７１を回動する。アイドラギア７１には、出力軸６７のコアギア７３が噛合している。これにより、スライドレバー４１の押下がスライドカム４５を下降させ、スライドカム４５に摺接する駆動ギア板５７が回転され、それに噛合するアイドラギア７１を介して出力軸６７が回転されるようになっている。
【００３６】
駆動ギア板５７、アイドラギア７１、コアギア７３は、ギア手段６１を構成している。ギア手段６１は、駆動ギア板５７のピッチ円７７のピッチ円半径Ｒが、駆動ギア軸と駆動軸の軸間距離Ｆよりも大きく設定されている。このように、駆動ギア軸４７を中心とした駆動軸５１までの距離Ｆと、ピッチ円半径Ｒの距離を変えることで、力点から支点までの距離よりも、支点から作用点までの距離を長くし、スライドカム４５の小さい押下距離によって、駆動ギア板５７の出力端に設けた駆動ギア５５を大きく回転させることができる。この結果、操作バー２１の小さな操作距離で、大きな出力回転角度を錠ケース１９へ入力することができるようになっている。
【００３７】
プッシュプル錠１００は、扉１１の表裏１１ａ，１１ｂに、上下一対ずつ合計４つの台座３３が取り付けられる。このうち、下部に取り付けられる台座３３には、スライドレバー４１、スライドバー９１、スライドカム４５、駆動ギア板５７、アイドラギア７１、出力軸６７が省略される。すなわち、上部の台座３３のみに上記の機構を構成するスライドレバー４１以下出力軸６７までの部材が内設される。また、扉表裏１１ａ，１１ｂの上部に設けられる台座３３，３３は、図２に示すように、スライドレバー４１の取付向きが上下逆向きとなっている。したがって、スライドバー９１も上下位置で配設されている。これにより、引き操作、押し操作により異なるグリップアーム３７の揺動向きを、同一のスライドカム４５の押下向きに変換している。
【００３８】
さらに、扉表裏１１ａ，１１ｂに設けられる駆動ギア板５７は、左右異なる位置に駆動軸５１が挿嵌される。これにより、同一のスライドカム４５の下降に対し、駆動ギア板５７，５７が、それぞれの扉面側から見た場合、表裏１１ａ，１１ｂ側で逆回転されるようになっている。
【００３９】
次に、プッシュプル錠１００の取付施工手順を説明する。
図２１は押し操作側の取付施工手順を表す分解斜視図、図２２は引き操作側の取付施工手順を表す分解斜視図である。
プッシュプル錠１００を扉１１に取り付けるには、先ず、図２１に示すように、扉１１の室内側（裏面１１ｂ）から上下の台座３３、３３を取り付ける。取付は、スタッドナット１０１を貫通穴９７に挿通して行う。上部の台座３３から突出する出力軸６７は、錠ケース１９の回転入力部材６５に挿入する。なお、錠ケース１９の両側面８１ａ，８１ｂには予めコネクタ８３，８３が取り付けられている。
【００４０】
次いで、図２２に示すように、扉１１の表面１１ａに台座取付板３１を配置し、貫通穴９７に表出するスタッドナット１０１に台座取付板固定ネジ１２１を螺合して、台座取付板３１を固定する。この際、上部の錠ケース側ユニット２７から突出する出力軸６７も、裏面１１ｂ側と同様に、錠ケース１９の回転入力部材６５に挿入する。最後に、台座取付板３１に台座３３を組み付け、台座固定ネジ１１９を台座取付板３１のネジ孔１６３に螺合して取付を完了する。
【００４１】
次に、上記構成を有するプッシュプル錠１００の作用を説明する。
図２３は開扉方向と操作バーの操作方向を表した扉平面図、図２４は引き操作側プッシュプル錠の動作時の状況を表す縦断面図、図２５は引き操作側プッシュプル錠の動作時の状況を表す平断面図、図２６は引き操作側のスライドカム、駆動ギア板、及びアイドラギアの動作前の状態を（ａ）、動作後の状態を（ｂ）で表した動作説明図である。
室内操作バー２３、屋外操作バー２１の非操作時、グリップアーム３７が復帰バネ８９の付勢力で非揺動位置となり、表裏１１ａ，１１ｂのスライドカム４５が上方に配置された状態となる（図２の状態参照）。また、図２６（ａ）に示すように、スライドカム４５の摺接面２１９は、駆動ギア板５７の駆動軸５１に当接状態となっている。
【００４２】
図２３に示すように、扉１１が開扉方向ａへ操作されるとき、屋外操作バー２１によるときは屋外操作バー２１が揺動中心軸３５を中心に、開扉方向ａと同じ離反方向Ｌへ揺動操作される。一方、室内操作バー２３によるときは室内操作バー２３が揺動中心軸３５を中心に、開扉方向ａと同じ接近方向Ｎへ揺動操作される。
【００４３】
例えば、図２４、図２５に示すように、屋外操作バー２１が扉面１１ａに離反方向Ｌに引かれると、グリップアーム３７が揺動中心軸３５を中心に図２５の時計回りに回転され、従動するスライドバー９１、レバー係合軸１３９にて、スライドレバー４１が図２４の反時計回りに回転される。スライドレバー４１が回転されると、スライドレバー４１の揺動出力端４３が、図２６（ｂ）に示すように、スライドカム４５を押下する。スライドカム４５が下降すると、スライドカム４５の摺接面２１９に摺接する駆動軸５１を介して駆動ギア板５７が図２６の時計回りに回転される。
【００４４】
駆動ギア板５７が時計回りに回転すると、アイドラギア７１が反時計回りに回転し、アイドラギア７１に噛合するコアギア７３が時計回りに回転する。これにより、コアギア７３を入力端５９に固設した出力軸６７が時計回りに回転される。この時計回りの回転出力が出力軸６７の出力端６３を介して回転入力部材６５に入力されることとなる。
【００４５】
このように、プッシュプル錠１００では、屋外操作バー２１、室内操作バー２３による開扉方向ａと同方向の揺動操作力が、グリップアーム３７、スライドレバー４１にて一旦上下動に変換された後、さらに、スライドカム４５、駆動ギア板５７、出力軸６７にて回転力に変換される。これにより、回転入力部材６５を有する既設の錠ケース１９に対して、開扉方向ａと同方向で操作されるプッシュプル錠１００の出力軸６７が組み付け可能となる。
【００４６】
また、扉表裏１１ａ，１１ｂに設けられ開扉方向ａと同方向に操作（開扉側では引っ張り操作、その反対側では押し操作）されるそれぞれの操作バー２１，２３からの操作力が、表裏１１ａ，１１ｂの駆動ギア板５７，５７の逆回転により、表裏１１ａ，１１ｂの出力軸６７，６７へ逆回転で伝達される。つまり、それぞれの扉面１１ａ，１１ｂ側から見た場合、一方の扉面（表面１１ａ）側の回転入力部材６５が例えば時計回りに回転されると、他方の扉面（裏面１１ｂ）側の回転入力部材６５が反時計回りに回転される。これにより、錠ケース両側面８１ａ，８１ｂに表出する回転入力部材６５，６５が同一軸線回りの同一方向に回転可能となる。
【００４７】
したがって、上記構成のプッシュプル錠１００によれば、操作バー２１，２３により揺動されるグリップアーム３７と、グリップアーム３７に従動するスライドレバー４１と、スライドレバー４１に押下されるスライドカム４５と、スライドカム４５の下降に従動して回転する駆動ギア板５７と、駆動ギア板５７に噛合するとともに錠ケース１９の回転入力部材６５に連結される出力軸６７とを設けたので、操作バー２１，２３による開扉方向ａの操作力を、グリップアーム３７、スライドレバー４１にて一旦上下動に変換した後、さらに、スライドカム４５、駆動ギア板５７、出力軸６７にて回転力に変換することができる。したがって、回転入力部材６５を有する既設の錠ケース１９に、プッシュプル錠１００の出力軸６７を組み付けることが可能となる。この結果、既設の錠ケース１９を流用して、意匠性、操作性に優れたプッシュプル錠１００を安価に取り付けできる。
【００４８】
そして、本実施の形態によるプッシュプル錠１００によれば、開扉側の扉面１１ａには離反方向Ｌに移動操作される第１の操作バー２１が設けられ、その反対面には接近方向Ｎに移動操作される第２の操作バー２３が設けられ、錠ケース１９を挟んで配置された一対の駆動ギア板５７，５７が扉表裏１１ａ，１１ｂのそれぞれにおいて逆回転されるので、扉両面に設けられ開扉方向ａと同方向に操作されるそれぞれの操作バー２１，２３からの操作力で、錠ケース１９の回転入力部材６５，６５を同一方向に回転させることができる。つまり、扉表裏１１ａ，１１ｂで異なる方向の操作力を同一方向の回転力として錠ケース１９に入力することができる。この結果、回転入力部材以下の錠ボルト２５を進退作動させるための錠ケース内進退機構（不図示）を単一機構で構成することができる。
【図面の簡単な説明】
【００４９】
【図１】本発明に係るプッシュプル錠を備えた扉の斜視図である。
【図２】図１に示したプッシュプル錠の縦断面図である。
【図３】開扉側プッシュプル錠の平断面図である。
【図４】錠ケースと錠ケース側ユニットの取付構造の分解斜視図である。
【図５】錠ケース側ユニットの分解斜視図である。
【図６】操作バー側ユニットの分解斜視図である。
【図７】コネクタの斜視図である。
【図８】台座取付板の斜視図である。
【図９】出力軸及びコアギアの分解斜視図である。
【図１０】アイドラギア及びアイドラ軸の分解斜視図である。
【図１１】ユニバーサルジョイントを介装した出力軸の斜視図である。
【図１２】台座及びアームユニット押え板の分解斜視図である。
【図１３】グリップアーム受けの斜視図である。
【図１４】レバー取付板の斜視図である。
【図１５】スライドレバーの斜視図である。
【図１６】グリップアームの斜視図である。
【図１７】揺動中心軸及び復帰バネの分解斜視図である。
【図１８】スライドバーの斜視図である。
【図１９】スライドカムの分解斜視図である。
【図２０】駆動ギア板の分解斜視図である。
【図２１】押し操作側の取付施工手順を表す分解斜視図である。
【図２２】引き操作側の取付施工手順を表す分解斜視図である。
【図２３】開扉方向と操作バーの操作方向を表した扉平面図である。
【図２４】引き操作側プッシュプル錠の動作時の状況を表す縦断面図である。
【図２５】引き操作側プッシュプル錠の動作時の状況を表す平断面図である。
【図２６】引き操作側のスライドカム、駆動ギア板、及びアイドラギアの動作前の状態を（ａ）、動作後の状態を（ｂ）で表した動作説明図である。
【符号の説明】
【００５０】
１１…扉
１１ａ，１１ｂ…扉面
１９…錠ケース
２１…第１の操作バー（屋外操作バー）
２３…第２の操作バー（室内操作バー）
２５…錠ボルト
３１…台座取付板
３３…台座
３５…揺動中心軸
３７…グリップアーム
３９…レバー軸
４１…スライドレバー
４３…スライドレバーの揺動出力端
４５…スライドカム
４７…駆動ギア軸
４９…駆動ギア板の入力端
５１…駆動軸
５３…駆動ギア板の出力端
５５…駆動ギア
５７…駆動ギア板
５９…出力軸の入力端
６１…ギア手段
６３…出力軸の出力端
６５…回転入力部材
６７…出力軸
６９…アイドラ軸
７１…アイドラギア
７３…コアギア
７５…ユニバーサルジョイント
８１ａ，８１ｂ…錠ケースの両側面
１００…プッシュプル錠
ａ…開扉方向
Ｆ…駆動ギア軸と駆動軸の軸間距離
Ｒ…駆動ギア板のピッチ円半径
【図１】
0005074949.tif 000002
【図２】
0005074949.tif 000003
【図３】
0005074949.tif 000004
【図４】
0005074949.tif 000005
【図５】
0005074949.tif 000006
【図６】
0005074949.tif 000007
【図７】
0005074949.tif 000008
【図８】
0005074949.tif 000009
【図９】
0005074949.tif 000010
【図１０】
0005074949.tif 000011
【図１１】
0005074949.tif 000012
【図１２】
0005074949.tif 000013
【図１３】
0005074949.tif 000014
【図１４】
0005074949.tif 000015
【図１５】
0005074949.tif 000016
【図１６】
0005074949.tif 000017
【図１７】
0005074949.tif 000018
【図１８】
0005074949.tif 000019
【図１９】
0005074949.tif 000020
【図２０】
0005074949.tif 000021
【図２１】
0005074949.tif 000022
【図２２】
0005074949.tif 000023
【図２３】
0005074949.tif 000024
【図２４】
0005074949.tif 000025
【図２５】
0005074949.tif 000026
【図２６】
0005074949.tif 000027